(57)【要約】【課題】呼吸器を背負った場合にも、安全帯の胴ベルトを腰骨周りに装着できるようにする。【解決手段】腰骨周りに装着した安全帯１の胴ベルト６の後部外側に、呼吸器の空気ボンベ２を搭載可能な肩ベルト２７付きハンガー２３を着脱可能に取付ける。その着脱は、前記ハンガー２３の下部に、前記胴ベルト６の後部外側面に沿う保持板２１を取付け、その保持板２１の穴に呼吸器取付ベルト２４を挿通して、そのベルト２４両端の係止手段２５，２５を、前記胴ベルト６両側腰部の調整ベルト１４，１４の係止手段１５、１５に接続する。前記対の調整ベルト１４、１４の両前端部を前方に向かって引くことにより、前記胴ベルト６とハンガー２３とが密着し、その対の調整ベルト１４，１４を前記胴ベルト６に動かないように固定手段８によって固定する。このようにすれば、呼吸器は腰部に安定して密着固定され、荷重が腰部に伝わりやすくなるので、作業者への負担を軽減し得る。【選択図】図１
2006075351.tif 000002
【特許請求の範囲】
【請求項１】
高所作業時に使用する胴ベルト型安全帯１において、前記安全帯１の胴ベルト６の後部外側に、呼吸器の空気ボンベ２を搭載可能な肩ベルト２７付きハンガー２３の下部を着脱可能に取付けたことを特徴とする胴ベルト型安全帯。
【請求項２】
前記ハンガー２３の下部に、前記胴ベルト６の後部外側面に沿う保持板２１を取付け、その保持板２１の表裏方向の穴２１ａに呼吸器取付ベルト２４を挿通し、前記ハンガー２３の胴ベルト６への取付けは、前記呼吸器取付ベルト２４の両端に設けた係止手段２５を、前記胴ベルト６の両側腰部に設けた係止手段１５，１５に接続することにより行うことを特徴とする請求項１に記載の胴ベルト型安全帯。
【請求項３】
前記胴ベルト６の両側腰部の係止手段１５，１５は、その胴ベルト６の前記両側腰部から前方へ向かって取付けられた対の調整ベルト１４，１４の後端部にそれぞれ設けられて、その対の調整ベルト１４，１４は、前記胴ベルト６に沿って胴周りにスライド可能となっており、
前記胴ベルト６を身につけた状態において、前記呼吸器取付ベルト２４に接続された前記対の調整ベルト１４，１４の両前端部を前方に向かって引くことにより、前記胴ベルト６と保持板２１との密着度合いを調整し、その状態で、前記対の調整ベルト１４を前記胴ベルト６に動かないように固定できるようにしたことを特徴とする請求項２に記載の胴ベルト型安全帯。
【請求項４】
前記呼吸器取付けベルト２４と前記胴ベルト６との両対向面、又は前記保持板２１と前記胴ベルト６との両対向面に、その両対向面同士を密着固定する係合手段９，２９を設けたことを特徴とする請求項２又は３に記載の胴ベルト型安全帯。
【発明の詳細な説明】
【技術分野】
【０００１】
この発明は、高所作業時に使用する安全帯に関するものであり、特に、呼吸器の使用を伴う作業時に着用するものである。
【背景技術】
【０００２】
火災現場等における消火及び救助活動を実施する際に、消防隊員又はレスキュー隊員は、隊員服の上に防火服を着用し、さらに、空気呼吸確保のため、空気ボンベをセットした呼吸器を背負って作業をおこなっている。
【０００３】
この呼吸器は、例えば、特許文献１に示すように、上記作業者の背中に沿う背負い具（ハンガー）に専用の固定用腰ベルト、肩ベルト等を取り付け、その背負い具の背面には空気ボンベを固定する。作業者は、この背負い具の腰ベルト、肩ベルトを介して、呼吸器を背負うように装着する（例えば、特許文献１参照）。
【０００４】
さらに、高所での活動を余儀なくされる状況では、墜落防止のために安全帯の着用も義務付けられる。このため、結果として、作業者は、前記呼吸器固定用の各ベルト、及び安全帯の胴ベルトの二つの用途のベルトを、別々に装着しなければならない状況である。
【特許文献１】特開平９−２８５５５８号公報
【発明の開示】
【発明が解決しようとする課題】
【０００５】
上記呼吸器固定用の腰ベルトは、空気ボンベ等の大きな重量を支えるべく、腰骨周りに装着させることが望ましい。一般に、重量物は、肩で背負うことに加えて、その下部を腰骨付近に密着させて支えることが、身体への負担を最も小さくし得る。腰骨付近に密着すれば、その重量物が揺れにくくなり腰部に安定するので、肩ベルトを介して肩にかかる負担をも小さくし得るからである。しかし、安全帯の胴ベルトも、墜落阻止時の身体への負担を軽減すべく、腰骨周りに装着することが望ましいため、両者を同時に最適位置に装着することができない。このため、前記呼吸器固定用の腰ベルトを腰骨付近に装着してしまうと、安全帯の胴ベルトは、その位置からずらして装着せざるを得ない。このずらした装着位置は、安全帯本来の最適装着位置ではないため、前記墜落阻止時の身体への負担を最小限にするためには好ましくない。
【０００６】
そこで、この発明は、呼吸器を背負った場合にも、安全帯の胴ベルトを、腰骨周りの所定の位置に装着できるようにすることを課題とする。
【課題を解決するための手段】
【０００７】
上記の課題を解決するために、この発明は、呼吸器の空気ボンベを固定する背負い具（ハンガー）を、安全帯の胴ベルトに着脱可能に取り付けできるようにしたのである。このようにすれば、作業者の背負った呼吸器は、安全帯の胴ベルトに固定されて、その腰周りに動かないように固定できるので、呼吸器は揺れ止めされて腰部に安定し、その重量による身体への負担を少ないものとし得る。また、安全帯として機能する胴ベルトは、同時に、呼吸器固定用の腰ベルトとしても機能するので、安全帯と呼吸器の両ベルトを、共に腰周りの最適位置に装着できるようになる。
【発明の効果】
【０００８】
この発明は、以上のようにしたので、呼吸器を背負う必要がある場合にも、安全帯の胴ベルトを、腰骨周りの最適の位置に装着できる。
【発明を実施するための最良の形態】
【０００９】
上記手段の具体的実施形態としては、高所作業時に使用する胴ベルト型安全帯において、その安全帯の胴ベルトの後部外側に、呼吸器の空気ボンベを搭載可能な肩ベルト付きハンガーの下部を着脱可能に取付けたものである。このようにすれば、安全帯の装着者は、呼吸器の空気ボンベの荷重を、その胴ベルトを介して腰部でしっかりと保持できるとともに、墜落阻止時に命綱を介して身体に作用する衝撃を腰部で受けることができるので、その負担を軽減し得る。また、胴ベルトを二つの機能に兼用できるので装備の総重量が軽くなり、装備装着による身体動作の阻害を軽減することができる。また、ハンガーは、前記胴ベルトに着脱可能としたので、前記作業者は、安全帯を装着した状態において、適宜必要に応じて呼吸器を装着したり、また外したりすることが簡単にできるようになる。
【００１０】
この構成において、前記呼吸器搭載用ハンガーの下部に、前記胴ベルトの後部外側面に沿う保持板を取付け、その保持板の表裏方向の穴に呼吸器取付ベルトを挿通する。その呼吸器取付ベルトの両端に設けた係止手段を、前記胴ベルトの両側腰部に設けた係止手段に接続することにより、ハンガーを胴ベルトへ取付ける。このようにすれば、呼吸器はより腰部に密着するとともに、その呼吸器の荷重が前記保持板、及び呼吸器取付けベルトを介して、胴ベルトの腰部に伝わりやすくなるので、作業者への負担を軽減し得る。
【００１１】
この保持板、及び呼吸器取付ベルトを用いた構成において、前記胴ベルトの両側腰部の係止手段を、その胴ベルトの前記両側腰部から前方へ向かって取付けられた対の調整ベルトの後端部にそれぞれ設ける。その対の調整ベルトは、前記胴ベルトに沿って胴周りにスライド可能とする。この胴ベルトを身につけた状態において、前記呼吸器取付ベルトに接続された前記対の調整ベルトの両前端部を前方に向かって引くことにより、前記胴ベルトとハンガーとの密着度合いを調整するようにし、その状態で、対の調整ベルトを前記胴ベルトに動かないように固定できるようにした構成を採用し得る。このようにすれば、呼吸器と安全帯の胴ベルトとの一体性がより高まるので、胴ベルト及びその装着者に対し、呼吸器の荷重を安定して作用させることができる。
【００１２】
また、前記呼吸器取付けベルトと前記胴ベルトとの両対向面、又は前記保持板と前記胴ベルトとの両対向面に、その両対向面同士を密着固定する係合手段を設ければ、呼吸器と安全帯の胴ベルトとの一体性をさらに高めることができる。
【実施例】
【００１３】
一実施例を図１乃至図５に基づいて説明する。この実施例は、消防隊員又はレスキュー隊員等の作業者が装着する呼吸器固定機能付きの胴ベルト型安全帯１である。この安全帯１は、図５に示すように、上記作業者が、腰部の胴回りに巻いて装着、固定する腰部装着装置１０と、その腰部装着装置１０の後部に取り付けられ、呼吸器のボンベ２を搭載可能な呼吸器装着装置２０とから構成される。
【００１４】
腰部装着装置１０の構成は、図１に示すように、両端にバックルによる係止手段７，７を有し、腰部の後部から前方へ向かって胴回りに巻いて装着、固定する胴ベルト６の内側に、補助ベルト４が取り付けられている。その胴ベルト６は、補助ベルト４の外側に設けられた複数のベルト通し５を介して、前記補助ベルト４と固定されている。また、前記係止手段７，７を係合して胴ベルト６を装着した状態において、その胴ベルト６の外側には、両側腰部に位置する部分から前方へ向かって、それぞれ調整ベルト１４，１４が取り付けられている。その対の調整ベルト１４，１４は、図１に示すように、前記補助ベルト４に設けられたベルト通し５、及び前記胴ベルト６の先端において、その胴ベルト６とともに挿通されるベルト通し１４ａを介して、前記胴ベルト６に沿って胴周りにスライド可能となっており、その対の調整ベルト１４，１４の後端部には、それぞれバックルによる係止手段１５，１５が設けられている。この係止手段１５は、前記胴ベルト６に設けた固定手段８により、その胴ベルト６から離れないように保持できるようになっている。
【００１５】
また、前記胴ベルト６の両先端部には、図１に示すように、それぞれベルト止め６ａ，６ａが挿通されており、図中上方に示す一方のベルト止め６ａは、胴ベルト６の位置ずれを防止の役割を果たしている。また、図中下方に示す他方のベルト止め６ａには、その二つのスリット間に、図示する胴ベルト６の弛み部を設けて、その弛み部に命綱用のロープ１２を接続したＤ型環を取り付けている。ロープ１２の先端には、フック１３が取り付けられているので、このフック１３を、作業現場の固定物に係合すれば、胴ベルト６の装着者は、万が一の際の墜落を阻止し得る。なお、前記補助ベルト４は、その全長に亘ってクッション材（パッド）から構成されているので、腰部に柔らかな感触を与えてその当たり面を保護し、身体に作用する衝撃を和らげる役割を果たしている。また、胴ベルト６の後部には、図３（ａ）に示すように、後方を向く係合手段９が設けられている。この係合手段９は、周知の面ファスナ（メス）から構成される。
【００１６】
呼吸器装着装置２０は、図２に示すように、作業者の背中に沿うハンガー２３に肩ベルト２７，２７を取り付けたものであり、そのハンガー２３背面には、給気ホース３付きの空気ボンベ２を固定し搭載できるようになっている。その空気ボンベ２の固定は、図２（ａ）（ｂ）に示すように、ハンガー２３背面に延びるフレーム２３ｂ上に空気ボンベ２を載置し、そのハンガー２３の穴２３ａに挿通されたベルト２８を介して、空気ボンベ２を動かないようにハンガー２３に固定する。
【００１７】
そのハンガー２３前面下部には、前記胴ベルト６の後部外側面に沿う保持板２１が取り付けられている。保持板２１の取り付けは、図２（ｃ）に示すように、その保持板中央に設けられた取付部材２２と、前記ハンガー２３の前面下部に取り付けられた取付部材２６とを、回転軸２６ａを介して相互に軸周り回転可能に取付けられる。
【００１８】
この保持板２１には、図２（ｂ）に示すように、スリット状の表裏方向の穴２１ａ，２１ａが設けられており、この穴２１ａ，２１ａに呼吸器取付ベルト２４を挿通する。呼吸器取付ベルト２４は、図３（ｂ）に示すように、適宜の位置にベルトの位置ずれを防止するためのベルト止め２４ａ，２４ａが挿通されており、ベルト２４の先端が折り返されてそのベルト止め２４ａ，２４ａに再度挿通され、長さ調整が可能となっている。また、そのベルト２４両端の折り返し部分には、バックルからなる係止手段２５，２５がそれぞれ取り付けられている。この呼吸器取付ベルト２４が、図２（ｃ）に示すように、保持板２１の穴２１ａ，２１ａに挿通されて、その両穴２１ａ，２１ａ間に位置する部分には、前方を向く係合手段２９が設けられている。係合手段２９は、周知の面ファスナ（オス）２９ａで構成される。保持板２１及び呼吸器取付ベルト２４を、前記ハンガー２３に取り付けた状態を、図２（ａ）に示す。
【００１９】
この安全帯１を使用する場合の操作を説明すると、まず、腰部装着装置１０を腰部の胴周りに装着する。図１に示すように、胴ベルト６を腰部の後方から前方へと宛がって、図中に矢印ａで示すように湾曲させて鎖線で示す様態とし、さらに図中に矢印ｂで示すように、その両端の前記係止手段７，７同士を係合して装着状態とする。
【００２０】
つぎに、ハンガー２３の肩ベルト２７を両肩に掛けて、呼吸器を背負う。肩ベルト２７の長さを適宜調整して、ハンガー２３、及び呼吸器の空気ボンベ２を背負う高さを調整する。この状態で、前記呼吸器取付けベルト２４の係合手段２９が、前記胴ベルト６の前記係合手段９に対向しているので、図１に矢印ｃで示すように、この両係合手段９，２９を係合することにより、両対向面を密着固定する。この密着により、装着作業中、及び装着後における、前記呼吸器装着装置２０と腰部装着装置１０との位置ずれを防止し、その呼吸器と安全帯胴ベルトとの一体性をさらに高めることができる。
【００２１】
そして、前記呼吸器取付ベルト２４の両端に設けた係止手段２５を、前記胴ベルト６の前記係止手段１５，１５に接続する。このとき、胴ベルト６に設けられた固定手段８のスナップ８ａは外されている（図３（ａ）に示す左側の固定手段８参照）。この接続の後、前記呼吸器取付ベルト２４に接続された前記対の調整ベルト１４，１４の両前端部を前方に向かって引くことにより、前記胴ベルト６と保持板２１とを強く密着させ、密着度合いを調整する。前記対の調整ベルト１４，１４を前方に向かって引いた後は、その調整ベルト１４，１４の前端部の余長分を折り返して、適宜前記ベルト通しに挿通させて、その調整ベルト１４の余長分を胴ベルト６に対して動かないように固定する。このように、呼吸器取付ベルト２４及び調整ベルト１４を、その胴ベルト６の外面に密着状態で保持できるようになっているので、呼吸器と安全帯の胴ベルトとの一体性がより高める効果がある。
【００２２】
調整ベルト１４の固定後は、前記固定手段８を係止して（図３（ａ）に示す右側の固定手段８参照）、対の調整ベルト１４と呼吸器取付ベルト２４とを前記胴ベルト６に保持させる。なお、この固定手段８は、調整ベルト１４の係止手段１５の部分を保持するようになっており、呼吸器取付ベルト２４を取り付けずに、腰部装着装置１０のみを身体に装着して使用する際にも、その調整ベルト１４の後端が胴ベルト６から離れないように保持できるようになっている。
【００２３】
この胴ベルト型安全帯１を取り外す際には、上記と逆の手順で行うこととなる。この取り外しにおいて、前記係止手段１５，２５、及び係合手段９，２９を介して、ハンガー２３は前記胴ベルト６に着脱可能となっているので、前記作業者は、呼吸器装着装置２０のみを取り外して、腰部装着装置１０を装着した状態とし、必要な作業を続行することができる。また、呼吸器を使用する必要が生じた場合には、呼吸器装着装置２０を前記同様の手順により取り付ければよい。このように、呼吸器のみを装着したり、また外したりすることが簡単にできるようになる。
【００２４】
この実施例では、前記呼吸器取付けベルト２４と、前記胴ベルト６外面との両対向面に、その両対向面同士を密着固定する係合手段９，２９を設けたが、他の実施例として、前記保持板２１と前記胴ベルト６とが直接密着し得る両対向面に、その両対向面同士を密着固定する係合手段９，２９を設けてもよい。また、ハンガー２３、及び保持板２１の態様は、この実施例に限定されない。さらに、保持板２１を設けずに、ハンガー２３に直接呼吸器取付ベルト２４を取り付けるようにした構成も採用し得る。また、前記係合手段９，２９の具体的態様として、この実施例の面ファスナ以外の係合手段、例えば、嵌め込み式のスナップやボタンとボタンホールとの係合等であってもよい。
【図面の簡単な説明】
【００２５】
【図１】一実施例の安全帯の構成を示す切断平面図
【図２】同実施例の呼吸器装着装置を示す説明図で、（ａ）はハンガーに保持板、呼吸器取付ベルトを装着した状態を示す正面図、（ｂ）はその分解図、（ｃ）はその要部拡大図
【図３】同実施例を示す説明図で、（ａ）は胴ベルト及びその付属品を取付けた状態を示す正面図、（ｂ）は呼吸器取付ベルトの正面図
【図４】同実施例の装着状態を示す切断平面図
【図５】同実施例の装着状態を示す説明図
【符号の説明】
【００２６】
１  胴ベルト型安全帯
２  空気ボンベ
３  給気ホース
４  補助ベルト
５  ベルト通し
６  胴ベルト
７  係止手段（バックル）
８  固定手段
９  係合手段
９ａ  面ファスナ（オス）
１０  腰部装着装置
１１  Ｄ型環
１２  ロープ
１３  フック
１４  調整ベルト
１５，２５  係止手段（バックル）
２０  呼吸器装着装置
２１  保持板
２３  ハンガー
２４  呼吸器取付ベルト
２７  肩ベルト
２８  空気ボンベ取付ベルト
２９  係合手段
２９ａ  面ファスナ（メス）
【図１】
2006075351.tif 000003
【図２】
2006075351.tif 000004
【図３】
2006075351.tif 000005
【図４】
2006075351.tif 000006
【図５】
2006075351.tif 000007